(57)【要約】【課題】海賊版のコンテンツに対するライセンスの発行やライセンスの偽造を難しくすることができるライセンス管理システムを提供する。【解決手段】ライセンスＡとライセンスＢを組み合わせることでコンテンツＣの使用が許可され、クライアント３が第２サーバ２にライセンスを要求し、第２サーバ２がライセンスの要求に応じて、第１サーバ１にライセンスＡを要求し、第１サーバ１又は第２サーバ２がライセンスＡの要求又はライセンスの要求に応じて、ライセンスＡとライセンスＢを対にする対情報Ｎを生成し、第１サーバ１がライセンスＡの要求に応じて、対情報Ｎを含んで生成されたライセンスＡを発行し、ライセンスＡを第２サーバ２に送信し、第２サーバ２がライセンスの要求に応じて、対情報Ｎを含んで生成されたライセンスＢを発行し、クライアント３が第２サーバ２からライセンスＡとライセンスＢを取得することを特徴とする。【選択図】図２
2014123161.tif 000002
【特許請求の範囲】
【請求項１】
第１サーバ（１）、第２サーバ（２）及びクライアント（３）から構成され、第１ライセンス（Ａ）と第２ライセンス（Ｂ）を組み合わせることでコンテンツ（Ｃ）の使用が許可されるライセンス管理システムであって、
前記クライアント（３）が前記第２サーバ（２）にライセンスを要求し、
前記第２サーバ（２）が前記ライセンスの要求に応じて、前記第１サーバ（１）に前記第１ライセンス（Ａ）を要求し、
前記第１サーバ（１）又は前記第２サーバ（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、
前記第１サーバ（１）が前記第１ライセンス（Ａ）の要求に応じて、前記対情報（Ｎ）を含んで生成された前記第１ライセンス（Ａ）を発行し、前記第１ライセンス（Ａ）を前記第２サーバ（２）に送信し、
前記第２サーバ（２）が前記ライセンスの要求に応じて、前記対情報（Ｎ）を含んで生成された前記第２ライセンス（Ｂ）を発行し、
前記クライアント（３）が前記第２サーバ（２）から前記第１ライセンス（Ａ）と前記第２ライセンス（Ｂ）を取得することを特徴とするライセンス管理システム。
【請求項２】
第１ライセンス（Ａ）と第２ライセンス（Ｂ）を組み合わせることでコンテンツ（Ｃ）の使用が許可されるライセンス管理方法であって、
ライセンスを要求する過程と、
前記ライセンスの要求に応じて、前記第１ライセンス（Ａ）を要求する過程と、
前記第１ライセンス（Ａ）の要求又は前記ライセンスの要求に応じて、前記第１ライセンス（Ａ）と前記第２ライセンス（Ｂ）を対にする対情報（Ｎ）を生成する過程と、
前記第１ライセンス（Ａ）の要求に応じて、前記対情報（Ｎ）を含んで生成された前記第１ライセンス（Ａ）を発行する過程と、
前記ライセンスの要求に応じて、前記対情報（Ｎ）を含んで生成された前記第２ライセンス（Ｂ）を発行する過程と、
前記第１ライセンス（Ａ）と前記第２ライセンス（Ｂ）を取得する過程と、
前記コンテンツ（Ｃ）を再生する過程と、を含むことを特徴とするライセンス管理方法。
【請求項３】
第１ライセンス（Ａ）と第２ライセンス（Ｂ）を組み合わせることでコンテンツ（Ｃ）の使用が許可されるライセンス管理方法であって、
ライセンスを要求する過程と、
前記ライセンスの要求に応じて、前記第１ライセンス（Ａ）と前記第２ライセンス（Ｂ）を対にする対情報（Ｎ）を生成する過程と、
前記対情報（Ｎ）の生成に応じて、前記対情報（Ｎ）を含んで生成された前記第１ライセンス（Ａ）を発行する過程と、
前記対情報（Ｎ）の生成に応じて、前記対情報（Ｎ）を含んで生成された前記第２ライセンス（Ｂ）を発行する過程と、
前記第１ライセンス（Ａ）と前記第２ライセンス（Ｂ）を取得する過程と、
前記コンテンツ（Ｃ）を再生する過程と、を含むことを特徴とするライセンス管理方法。
【請求項４】
著作権者の了解を得ずにネットワーク上にアップロードされたコンテンツ（Ｃ）に対してライセンス情報を発行し、前記ライセンス情報を使って前記コンテンツ（Ｃ）の使用が許可されるライセンス管理方法であって、
前記コンテンツ（Ｃ）を要求する過程と、前記ライセンス情報を発行する過程と、前記コンテンツ（Ｃ）の著作権料を課金する過程と、前記ライセンス情報と前記コンテンツ（Ｃ）をダウンロードする過程と、前記コンテンツ（Ｃ）を再生する過程と、を含むことを特徴とするライセンス管理方法。
【請求項５】
著作権者の了解を得ずにネットワーク上にアップロードされたコンテンツ（Ｃ）に対してライセンス情報を発行し、前記ライセンス情報を使って前記コンテンツ（Ｃ）の使用が許可されるライセンス管理方法であって、
前記コンテンツ（Ｃ）を要求する過程と、前記ライセンス情報を発行する過程と、前記アップロード行為に報いる成果報酬を生成する過程と、前記ライセンス情報と前記コンテンツ（Ｃ）をダウンロードする過程と、前記コンテンツ（Ｃ）を再生する過程と、を含むことを特徴とするライセンス管理方法。
【請求項６】
請求項１に記載のライセンス管理システムに用いたことを特徴とする第１サーバ。
【請求項７】
請求項１に記載のライセンス管理システムに用いたことを特徴とする第２サーバ。
【請求項８】
請求項１に記載のライセンス管理システムに用いたことを特徴とするクライアント。
【請求項９】
前記クライアント（３）を含む前記コンテンツ（Ｃ）の再生を行う機器を備えた請求項１に記載のライセンス管理システムに用いたことを特徴とする機器。
【請求項１０】
請求項９に記載の機器で前記コンテンツ（Ｃ）の再生を行わせたことを特徴とするプログラム。
【請求項１１】
請求項２ないし請求項５のいずれかに記載のライセンス管理方法を行わせたことを特徴とする制御プログラム。
【発明の詳細な説明】
【技術分野】
【０００１】
本発明はライセンスを使ってコンテンツの使用が許可されるライセンス管理システムに関する。
【背景技術】
【０００２】
従来、ライセンスを使ってコンテンツの使用が許可されるライセンス管理システムが知られる。例えば、特許第４０４０４２４号公報に記載の技術は、ソフトウェアが予め具備している第１のライセンス情報（公開鍵Ｐｄ）と、ライセンス保有クライアントが供給する第２のライセンス情報（秘密鍵Ｓｄ，公開鍵Ｐｍ及び秘密鍵Ｓｍ）とが組み合わされることによって、ソフトウェアの使用が許可される。
【特許文献１】特許第４０４０４２４号公報
【発明の開示】
【発明が解決しようとする課題】
【０００３】
ところで、上記従来のライセンス管理システムは、ライセンスの発行の度に使い回しされる公開鍵Ｐｄと秘密鍵Ｓｄを使って２つのライセンスを対にしているため、海賊版のコンテンツに対するライセンスの発行やライセンスの偽造の危険性が高まると言った問題があった。
【０００４】
そこで、本発明の目的はライセンスの発行ごとに生成した対情報を含む２つのライセンスを使用して、海賊版のコンテンツに対するライセンスの発行やライセンスの偽造を難しくすることができるライセンス管理システムを提供することにある。
【課題を解決するための手段】
【０００５】
上記の課題を解決するため本発明のライセンス管理システムは、第１サーバ（１）、第２サーバ（２）及びクライアント（３）から構成され、第１ライセンス（Ａ）と第２ライセンス（Ｂ）を組み合わせることでコンテンツ（Ｃ）の使用が許可されるライセンス管理システムであって、前記クライアント（３）が前記第２サーバ（２）にライセンスを要求し、前記第２サーバ（２）が前記ライセンスの要求に応じて、前記第１サーバ（１）に前記第１ライセンス（Ａ）を要求し、前記第１サーバ（１）又は前記第２サーバ（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、前記第１サーバ（１）が前記第１ライセンス（Ａ）の要求に応じて、前記対情報（Ｎ）を含んで生成された前記第１ライセンス（Ａ）を発行し、前記第１ライセンス（Ａ）を前記第２サーバ（２）に送信し、前記第２サーバ（２）が前記ライセンスの要求に応じて、前記対情報（Ｎ）を含んで生成された前記第２ライセンス（Ｂ）を発行し、前記クライアント（３）が前記第２サーバ（２）から前記第１ライセンス（Ａ）と前記第２ライセンス（Ｂ）を取得することを特徴とする。
【発明の効果】
【０００６】
本発明によれば、ライセンス管理システムはライセンスの発行ごとに生成した対情報を含む２つのライセンスを使用して、海賊版のコンテンツに対するライセンスの発行やライセンスの偽造を難しくすることができる。また、ライセンスに利用者やクライアントの識別情報を含めると、利用者がライセンス及びコンテンツをコンテンツ投稿・共有サイトなどに公開しても他人がコンテンツを使用することができなくなる。
【発明を実施するための最良の形態】
【０００７】
以下、本発明の実施の形態について詳細に説明する。
【０００８】
図１は実施形態のライセンス管理システムの構成図である。
本発明のライセンス管理システムは、第１サーバ１、第２サーバ２及びクライアント３から構成され、ライセンスＡとライセンスＢを組み合わせることでコンテンツＣの使用が許可される。
第１サーバ１、第２サーバ２、クライアント３、後述する機器などの装置は、インターネット１０などのネットワークシステムに接続され、ＣＰＵ、ＲＯＭ、ＲＡＭ、記憶装置、入出力部及び通信用集積回路などを有するコンピュータ部を備える。
【０００９】
次にシーケンスフローチャートを説明する。
図２は実施形態のライセンス管理システムのシーケンスフローチャートである。
第２サーバ２はライセンスの要求とコンテンツＣのダウンロードを確認するウェブページをクライアント３に送信する（ステップＳ０１）。
クライアント３はウェブページの受信に応じて（ステップＳ０２）、自己の入出力部のディスプレイにウェブページを表示し、ライセンスの要求とコンテンツＣのダウンロードを利用者に確認させ、利用者又はクライアント３を識別する識別情報Ｉｄを含んだライセンス要求を第２サーバ２に送信する（ステップＳ０３）。ここで、ライセンス要求はコンテンツＣのダウンロード要求を兼ねている。
第２サーバ２はライセンス要求の受信に応じて（ステップＳ０４）、自己の記憶装置からコンテンツＣを取得し（ステップＳ０５）、コンテンツＣからコンテンツ識別子Ｉｃを求め、コンテンツＣの使用期限である使用期限Ｄｅを生成し（ステップＳ０６）、コンテンツ識別子Ｉｃ、識別情報Ｉｄ及び使用期限Ｄｅを含むライセンスＡ要求を第１サーバ１に送信する（ステップＳ０７）。
第１サーバ１はライセンスＡ要求の受信に応じて（ステップＳ０８）、ライセンスＡとライセンスＢを対にする対情報Ｎを生成し、対情報Ｎ、コンテンツ識別子Ｉｃ、識別情報Ｉｄ及び使用期限Ｄｅを含む情報を公開鍵Ｋａで暗号化して生成されたライセンスＡを発行し（ステップＳ０９）、対情報ＮとライセンスＡを第２サーバ２に送信する（ステップＳ１０）。
【００１０】
第２サーバ２は対情報ＮとライセンスＡの受信に応じて（ステップＳ１１）、対情報Ｎ、コンテンツ識別子Ｉｃ、識別情報Ｉｄ及び使用期限Ｄｅを含む情報を公開鍵Ｋｂで暗号化して生成されたライセンスＢを発行し（ステップＳ１２）、ライセンスＡ、Ｂ及びコンテンツＣをクライアント３にダウンロード送信する（ステップＳ１３）。
クライアント３はライセンスＡ、Ｂ及びコンテンツＣのダウンロードに応じて（ステップＳ１４）、ライセンスＡを公開鍵Ｋａに対応した秘密鍵Ｋｃで復号し、ライセンスＢを公開鍵Ｋｂに対応した秘密鍵Ｋｄで復号し、ライセンスＡとライセンスＢの対情報Ｎ、コンテンツ識別子Ｉｃ、識別情報Ｉｄ及び使用期限Ｄｅがすべて一致し、ライセンスＡとコンテンツＣのコンテンツ識別子Ｉｃが一致し、ライセンスＡと利用者又はクライアント３の識別情報Ｉｄが一致し、ライセンスＡの使用期限Ｄｅの使用期限が過ぎていない、ことを確認するライセンス認証を行い（ステップＳ１５）、コンテンツＣを再生して自己の入出力部のディスプレイにコンテンツＣを表示しコンテンツＣを利用者に使用させる（ステップＳ１６）。また、ライセンス認証でライセンスＡとライセンスＢの対情報Ｎが一致することを確認したことでライセンスＡとライセンスＢが対であることが証明される。
【００１１】
クライアント３はステップＳ１４でライセンスＡ、Ｂ及びコンテンツＣを自己の記憶装置に記憶させてもよい。そして、利用者の求めに応じて、ステップＳ１５とステップＳ１６を行うようにしてもよい。
ステップＳ１５とステップＳ１６はクライアント３が備えたプログラムＰをクライアント３のＣＰＵで実行することにより実現される。
第１サーバ１は公開鍵Ｋａを備え、第２サーバ２は公開鍵Ｋｂを備え、コンテンツＣ又はクライアント３は秘密鍵Ｋｃ、Ｋｄを備える構成としてもよい。また、プログラムＰが秘密鍵Ｋｃ、Ｋｄを含む構成としてもよい。
コンテンツ識別子Ｉｃ、識別情報Ｉｄ及び使用期限Ｄｅの何れかはライセンスＡ又はライセンスＢの一方に含まれる構成としてもよい。また、ライセンスＡとライセンスＢが何れかを含まない構成としてもよい。
【００１２】
対情報Ｎは通し番号と発行者を識別する発行者識別情報とで構成され、ライセンスＡとライセンスＢを一意な対または１対１の関係にする一意な情報であってもよい。また、乱数や通し番号であってもよい。即ち、対情報Ｎはライセンス発行の度に違うものが生成される。
第１サーバ１と第２サーバ２は共有シークレットＳを備え、ステップＳ０７に先駆けて、第１サーバ１と第２サーバ２間で共有シークレットＳを使用した相互認証を行い、双方でセッション鍵Ｋｓを生成し、ステップＳ０７とステップＳ１０でセッション鍵Ｋｓを使用した暗号化通信を行うようにしてもよい。また、セッション鍵Ｋｓを対情報Ｎとして使用してもよい。
【００１３】
上記実施形態においては、第１サーバ１を著作権の管理団体側と位置づけ、第２サーバ２をコンテンツの提供者側と位置づけることができる。
また、第２サーバ２が対情報ＮをステップＳ０６で生成し、ステップＳ０７で第１サーバ１に送信する構成としてもよい。
また、ライセンスＡ、Ｂの発行でコンテンツＣごとに違う公開鍵Ｋａ、Ｋｂを使用するようにしてもよい。
また、ライセンスＡ、Ｂの識別情報Ｉｄが利用者識別情報であれば、同一利用者が使用するクライアント３を含む多くの機器にライセンスＡ、Ｂ、コンテンツＣを複製し、該機器でコンテンツＣを再生することが可能である。
また、ライセンスＡ、Ｂの発行で公開鍵Ｋａ、Ｋｂの替わりに所定の関数Ｆａ、Ｆｂを使用してもよい。
また、第２サーバ２がコンテンツ投稿・共有サイトなどを提供し、著作権者の了解を得ずにコンテンツＣがアップロードされた場合に、ライセンスＢの発行に応じて、該コンテンツＣをダウンロードする利用者に、著作権管理団体などに帰属するコンテンツＣの著作権料を課金する手段を備え課金を実施してもよい。
また、バナー広告などの広告主に、該著作権料を課金してもよい。
また、第２サーバ２が著作権者の了解を得ずにコンテンツＣをアップロードされたことを利用者に親告させる親告手段を備え親告させてもよい。
また、第２サーバ２がライセンスＢの発行に応じて、著作権者の了解を得ずにコンテンツＣをアップロードさせた利用者のアップロード行為に報いる成果報酬を生成し、具体的には該著作権料の一部などを該利用者に還元するアフィリエート手段を備えアフィリエートプログラムを実施してもよい。
【００１４】
上記実施形態によれば、ライセンス管理システムはライセンスの発行ごとに生成した対情報を含む２つのライセンスを使用して、海賊版のコンテンツに対するライセンスの発行やライセンスの偽造を難しくすることができる。また、ライセンスに利用者やクライアントの識別情報を含めると、利用者がライセンス及びコンテンツをコンテンツ投稿・共有サイトなどに公開しても他人がコンテンツを使用することができなくなる。
【００１５】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００１６】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１７】
また、インターネット、ＬＡＮ等のネットワークシステムを介して制御プログラムをダウンロードし、インストールして実行するように構成することも可能である。
【図面の簡単な説明】
【００１８】
【図１】実施形態のライセンス管理システムの構成図である。
【図２】実施形態のライセンス管理システムのシーケンスフローチャートである。
【符号の説明】
【００１９】
１…第１サーバ，２…第２サーバ，３…クライアント，１０…インターネット，Ｉｄ…識別情報，Ｃ…コンテンツ，Ｉｃ…コンテンツ識別子，Ｄｅ…使用期限，Ｎ…対情報，Ａ：Ｂ…ライセンス，Ｋａ：Ｋｂ…公開鍵，Ｋｃ：Ｋｄ…秘密鍵
【図１】
2014123161.tif 000003
【図２】
2014123161.tif 000004
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
第１システム（１）、第２システム（２）及びクライアント（３）から構成され、第１ライセンス（Ａ）と第２ライセンス（Ｂ）を組み合わせることでコンテンツ（Ｃ）の使用が許可されるライセンス管理システムであって、
前記クライアント（３）が前記第２システム（２）にライセンスを要求し、
前記第２システム（２）が前記ライセンスの要求に応じて、前記第１システム（１）に前記第１ライセンス（Ａ）を要求し、
前記第１システム（１）又は前記第２システム（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、
前記第１システム（１）が前記第１ライセンス（Ａ）の要求に応じて、前記対情報（Ｎ）を含んで生成された前記第１ライセンス（Ａ）を発行し、前記第１ライセンス（Ａ）を前記第２システム（２）に送信し、
前記第２システム（２）が前記ライセンスの要求に応じて、前記対情報（Ｎ）を含んで生成された前記第２ライセンス（Ｂ）を発行し、
前記クライアント（３）が前記第２システム（２）から前記第１ライセンス（Ａ）と前記第２ライセンス（Ｂ）を取得することを特徴とするライセンス管理システム。
【請求項２】
第１ライセンス（Ａ）と第２ライセンス（Ｂ）を組み合わせることでコンテンツ（Ｃ）の使用が許可されるライセンス管理方法であって、
ライセンスを要求する過程と、
前記ライセンスの要求に応じて、前記第１ライセンス（Ａ）を要求する過程と、
前記第１ライセンス（Ａ）の要求又は前記ライセンスの要求に応じて、前記第１ライセンス（Ａ）と前記第２ライセンス（Ｂ）を対にする対情報（Ｎ）を生成する過程と、
前記第１ライセンス（Ａ）の要求に応じて、前記対情報（Ｎ）を含んで生成された前記第１ライセンス（Ａ）を発行する過程と、
前記ライセンスの要求に応じて、前記対情報（Ｎ）を含んで生成された前記第２ライセンス（Ｂ）を発行する過程と、
前記第１ライセンス（Ａ）と前記第２ライセンス（Ｂ）を取得する過程と、
前記コンテンツ（Ｃ）を再生する過程と、を含むことを特徴とするライセンス管理方法。
【請求項３】
第１ライセンス（Ａ）と第２ライセンス（Ｂ）を組み合わせることでコンテンツ（Ｃ）の使用が許可されるライセンス管理方法であって、
ライセンスを要求する過程と、
前記ライセンスの要求に応じて、前記第１ライセンス（Ａ）と前記第２ライセンス（Ｂ）を対にする対情報（Ｎ）を生成する過程と、
前記対情報（Ｎ）の生成に応じて、前記対情報（Ｎ）を含んで生成された前記第１ライセンス（Ａ）を発行する過程と、
前記対情報（Ｎ）の生成に応じて、前記対情報（Ｎ）を含んで生成された前記第２ライセンス（Ｂ）を発行する過程と、
前記第１ライセンス（Ａ）と前記第２ライセンス（Ｂ）を取得する過程と、
前記コンテンツ（Ｃ）を再生する過程と、を含むことを特徴とするライセンス管理方法。
【請求項４】
著作権者の了解を得ずにネットワーク上にアップロードされたコンテンツ（Ｃ）に対してライセンス情報を発行し、前記ライセンス情報を使って前記コンテンツ（Ｃ）の使用が許可されるライセンス管理方法であって、
前記コンテンツ（Ｃ）を要求する過程と、前記ライセンス情報を発行する過程と、前記コンテンツ（Ｃ）の著作権料を課金する過程と、前記ライセンス情報と前記コンテンツ（Ｃ）をダウンロードする過程と、前記コンテンツ（Ｃ）を再生する過程と、を含むことを特徴とするライセンス管理方法。
【請求項５】
著作権者の了解を得ずにネットワーク上にアップロードされたコンテンツ（Ｃ）に対してライセンス情報を発行し、前記ライセンス情報を使って前記コンテンツ（Ｃ）の使用が許可されるライセンス管理方法であって、
前記コンテンツ（Ｃ）を要求する過程と、前記ライセンス情報を発行する過程と、前記アップロード行為に報いる成果報酬を生成する過程と、前記ライセンス情報と前記コンテンツ（Ｃ）をダウンロードする過程と、前記コンテンツ（Ｃ）を再生する過程と、を含むことを特徴とするライセンス管理方法。
【請求項６】
請求項１に記載のライセンス管理システムに用いたことを特徴とする第１システム。
【請求項７】
請求項１に記載のライセンス管理システムに用いたことを特徴とする第２システム。
【請求項８】
請求項１に記載のライセンス管理システムに用いたことを特徴とするクライアント。
【請求項９】
前記クライアント（３）を含む前記コンテンツ（Ｃ）の再生を行う機器を備えた請求項１に記載のライセンス管理システムに用いたことを特徴とする機器。
【請求項１０】
請求項９に記載の機器で前記コンテンツ（Ｃ）の再生を行わせたことを特徴とするプログラム。
【請求項１１】
請求項２ないし請求項５のいずれかに記載のライセンス管理方法を行わせたことを特徴とする制御プログラム。
【手続補正２】
【補正対象書類名】明細書
【補正対象項目名】０００５
【補正方法】変更
【補正の内容】
【０００５】
上記の課題を解決するため本発明のライセンス管理システムは、第１システム（１）、第２システム（２）及びクライアント（３）から構成され、第１ライセンス（Ａ）と第２ライセンス（Ｂ）を組み合わせることでコンテンツ（Ｃ）の使用が許可されるライセンス管理システムであって、前記クライアント（３）が前記第２システム（２）にライセンスを要求し、前記第２システム（２）が前記ライセンスの要求に応じて、前記第１システム（１）に前記第１ライセンス（Ａ）を要求し、前記第１システム（１）又は前記第２システム（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、前記第１システム（１）が前記第１ライセンス（Ａ）の要求に応じて、前記対情報（Ｎ）を含んで生成された前記第１ライセンス（Ａ）を発行し、前記第１ライセンス（Ａ）を前記第２システム（２）に送信し、前記第２システム（２）が前記ライセンスの要求に応じて、前記対情報（Ｎ）を含んで生成された前記第２ライセンス（Ｂ）を発行し、前記クライアント（３）が前記第２システム（２）から前記第１ライセンス（Ａ）と前記第２ライセンス（Ｂ）を取得することを特徴とする。
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
第１システム（１）、第２システム（２）及びクライアント（３）から構成され、第１ライセンス（Ａ）と第２ライセンス（Ｂ）を組み合わせることでコンテンツ（Ｃ）の使用が許可されるライセンス管理システムであって、
前記クライアント（３）が前記第２システム（２）にライセンスを要求し、
前記第２システム（２）が前記ライセンスの要求に応じて、前記第１システム（１）に前記第１ライセンス（Ａ）を要求し、
前記第１システム（１）又は前記第２システム（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、前記第１システム（１）と前記第２システム（２）が前記対情報（Ｎ）を共有し、
前記第１システム（１）が前記第１ライセンス（Ａ）の要求に応じて、前記対情報（Ｎ）を含んで生成された前記第１ライセンス（Ａ）を発行し、前記第１ライセンス（Ａ）を前記第２システム（２）に送信し、
前記第２システム（２）が前記ライセンスの要求に応じて、前記対情報（Ｎ）を含んで生成された前記第２ライセンス（Ｂ）を発行し、
前記クライアント（３）が前記第２システム（２）から前記第１ライセンス（Ａ）と前記第２ライセンス（Ｂ）を取得することを特徴とするライセンス管理システム。
【請求項２】
第１ライセンス（Ａ）と第２ライセンス（Ｂ）を組み合わせることでコンテンツ（Ｃ）の使用が許可されるライセンス管理方法であって、
クライアント（３）がライセンスを要求する過程と、
第２システム（２）が前記ライセンスの要求に応じて、前記第１ライセンス（Ａ）を要求する過程と、
第１システム（１）又は前記第２システム（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、前記第１システム（１）と前記第２システム（２）が前記対情報（Ｎ）を共有する過程と、
前記第１システム（１）が前記第１ライセンス（Ａ）の要求に応じて、前記対情報（Ｎ）を含んで生成された前記第１ライセンス（Ａ）を発行する過程と、
前記第２システム（２）が前記ライセンスの要求に応じて、前記対情報（Ｎ）を含んで生成された前記第２ライセンス（Ｂ）を発行する過程と、
前記クライアント（３）が前記第１ライセンス（Ａ）と前記第２ライセンス（Ｂ）を取得する過程と、
前記クライアント（３）が前記第１ライセンス（Ａ）と前記第２ライセンス（Ｂ）の前記対情報（Ｎ）が同一であることを確認して前記コンテンツ（Ｃ）を再生する過程と、を含むことを特徴とするライセンス管理方法。
【請求項３】
第１ライセンス（Ａ）と第２ライセンス（Ｂ）を組み合わせることでコンテンツ（Ｃ）の使用が許可されるライセンス管理方法であって、
クライアント（３）がライセンスを要求する過程と、
第１システム（１）又は第２システム（２）が前記ライセンスの要求に応じて、前記第１ライセンス（Ａ）と前記第２ライセンス（Ｂ）を対にする対情報（Ｎ）を生成し、前記第１システム（１）と前記第２システム（２）が前記対情報（Ｎ）を共有する過程と、
前記第１システム（１）が前記対情報（Ｎ）の生成に応じて、前記対情報（Ｎ）を含んで生成された前記第１ライセンス（Ａ）を発行する過程と、
前記第２システム（２）が前記対情報（Ｎ）の生成に応じて、前記対情報（Ｎ）を含んで生成された前記第２ライセンス（Ｂ）を発行する過程と、
前記クライアント（３）が前記第１ライセンス（Ａ）と前記第２ライセンス（Ｂ）を取得する過程と、
前記クライアント（３）が前記第１ライセンス（Ａ）と前記第２ライセンス（Ｂ）の前記対情報（Ｎ）が同一であることを確認して前記コンテンツ（Ｃ）を再生する過程と、を含むことを特徴とするライセンス管理方法。
【請求項４】
請求項１に記載のライセンス管理システムに用いたことを特徴とする第１システム。
【請求項５】
請求項１に記載のライセンス管理システムに用いたことを特徴とする第２システム。
【請求項６】
請求項１に記載のライセンス管理システムに用いたことを特徴とするクライアント。
【請求項７】
請求項２または請求項３に記載のライセンス管理方法をコンピュータに行わせたことを特徴とする制御プログラム。
【手続補正２】
【補正対象書類名】明細書
【補正対象項目名】０００５
【補正方法】変更
【補正の内容】
【０００５】
上記の課題を解決するため本発明のライセンス管理システムは、第１システム（１）、第２システム（２）及びクライアント（３）から構成され、第１ライセンス（Ａ）と第２ライセンス（Ｂ）を組み合わせることでコンテンツ（Ｃ）の使用が許可されるライセンス管理システムであって、前記クライアント（３）が前記第２システム（２）にライセンスを要求し、前記第２システム（２）が前記ライセンスの要求に応じて、前記第１システム（１）に前記第１ライセンス（Ａ）を要求し、前記第１システム（１）又は前記第２システム（２）が前記第１ライセンス（Ａ）の要求又は前記ライセンスの要求に応じて、前記第１ライセンス（Ａ）と前記第２ライセンス（Ｂ）を対にする対情報（Ｎ）を生成し、前記第１システム（１）と前記第２システム（２）が前記対情報（Ｎ）を共有し、前記第１システム（１）が前記第１ライセンス（Ａ）の要求に応じて、前記対情報（Ｎ）を含んで生成された前記第１ライセンス（Ａ）を発行し、前記第１ライセンス（Ａ）を前記第２システム（２）に送信し、前記第２システム（２）が前記ライセンスの要求に応じて、前記対情報（Ｎ）を含んで生成された前記第２ライセンス（Ｂ）を発行し、前記クライアント（３）が前記第２システム（２）から前記第１ライセンス（Ａ）と前記第２ライセンス（Ｂ）を取得することを特徴とする。